(57)【要約】【課題】  物理的な商品であることで提供できる価値と、当該商品の物理的な制約に限定されない価値とをユーザに提供できるコンテンツ提供媒体、並びにそれを用いたコンテンツ取得方法を提供する。【解決手段】  トレーディングカード１１の正面側には、アイドル等の写真が印刷される写真領域２１と、アイドル名等が印刷される名前領域２３が形成されている。裏面側には、アイドル名等が印刷される名前領域３１と、コード番号が印刷されるコード領域３３とが形成されている。コード領域３３に形成されるコード番号は、例えば、インターネット上のＵＲＬ等である。【選択図】図１
2014174904.tif 000002
【特許請求の範囲】
【請求項１】
コンテンツに関する画像と、
前記コンテンツに関する情報が記憶されたネットワーク上のアドレスと
が形成されたコンテンツ提供媒体。
【請求項２】
前記アドレスは、視認可能な文字、あるいは画像認識可能なパターンとして印刷されている
請求項１に記載のコンテンツ提供媒体。
【請求項３】
アプリケーションプログラムを携帯型端末装置にダウンロードする第１の工程と、
コンテンツに関する画像と前記コンテンツに関する情報が記憶されたネットワーク上のサーバのアドレスとが形成されたコンテンツ提供媒体を、前記携帯型端末装置の読み取り機能を用いて撮像して、前記アドレスを取得する第２の工程と、
前記携帯型端末装置が、前記第２の工程で取得したアドレスを基に、前記ネットワーク上の前記サーバにアクセスして前記コンテンツに関する情報をダウンロードする第３の工程と
を有するコンテンツ取得方法。
【請求項４】
前記読み取り機能は、カメラ機能である
請求項３に記載のコンテンツ取得方法。
【請求項５】
前記携帯型端末装置は、前記サーバと通信を行うためのプログラムをインストールし、
前記携帯型端末装置は、前記プログラムを基に前記サーバと認証を行い、
前記サーバは、前記認証により前記携帯型端末装置あるいはそのユーザの正当性を認証したことを条件に、前記コンテンツに関する情報をダウロードさせる
請求項３に記載のコンテンツ取得方法。
【発明の詳細な説明】
【技術分野】
【０００１】
本発明は、画像が印刷されたコンテンツ提供媒体、並びにそれを用いたコンテンツ取得方法に関するものである。
【背景技術】
【０００２】
従来から、芸能人やスポーツ選手の写真を印刷したカードや、ジャケット付きのＣＤ，ＤＶＤ等の記録媒体が販売されている。
【発明の概要】
【発明が解決しようとする課題】
【０００３】
しかしながら、上述したカードや記録媒体等の商品を購入したことによってユーザが受けれる価値は、当該商品の物理的な制約によって限定されてします。
【０００４】
本発明はかかる事情に鑑みてなされたものであり、その目的は、物理的な商品であることで提供できる価値と、当該商品の物理的な制約に限定されない価値とをユーザに提供できるコンテンツ提供媒体、並びにそれを用いたコンテンツ取得方法を提供することにある。
【課題を解決するための手段】
【０００５】
上述した従来技術の問題を解決し、上述した目的を達成するために、本発明のコンテンツ提供媒体は、コンテンツに関する画像と、前記コンテンツに関する情報が記憶されたネットワーク上のアドレスとが形成されている。
【０００６】
好適には、本発明のコンテンツ提供媒体の前記アドレスは、視認可能な文字、あるいは画像認識可能なパターンとして印刷されている。
【０００７】
本発明のコンテンツ取得方法は、アプリケーションプログラムを携帯型端末装置にダウンロードする第１の工程と、コンテンツに関する画像と前記コンテンツに関する情報が記憶されたネットワーク上のサーバのアドレスとが形成されたコンテンツ提供媒体を、前記携帯型端末装置の読み取り機能を用いて撮像して、前記アドレスを取得する第２の工程と、前記携帯型端末装置が、前記第２の工程で取得したアドレスを基に、前記ネットワーク上の前記サーバにアクセスして前記コンテンツに関する情報をダウンロードする第３の工程とを有する。
【０００８】
好適には、前記読み取り機能は、カメラ機能である。
好適には、前記携帯型端末装置は、前記サーバと通信を行うためのプログラムをインストールし、前記携帯型端末装置は、前記プログラムを基に前記サーバと認証を行い、前記サーバは、前記認証により前記携帯型端末装置あるいはそのユーザの正当性を認証したことを条件に、前記コンテンツに関する情報をダウロードさせる。
【発明の効果】
【０００９】
本発明によれば、物理的な商品であることで提供できる価値と、当該商品の物理的な制約に限定されない価値とをユーザに提供できるコンテンツ提供媒体、並びにそれを用いたコンテンツ取得方法を提供することができる。
【図面の簡単な説明】
【００１０】
【図１】図１（Ａ）は本実施形態のトレーディングカード１１の表面側を説明するための図、図１（Ｂ）は本実施形態のトレーディングカード１１の裏面側を説明するための図である。
【図２】図２は、本発明の第２実施形態で用いられる端末装置と、サーバとを説明するための図である。
【図３】図３は、本発明の第１実施形態の処理の流れを説明するための図である。
【図４】図４は、本発明の第２実施形態の処理の流れを説明するための図である。
【発明を実施するための形態】
【００１１】
以下、本発明の実施形態に係るトレーディングカードについて説明する。
［第１実施形態］
図１（Ａ）は本実施形態のトレーディングカード１１の表面側を説明するための図、図１（Ｂ）は本実施形態のトレーディングカード１１の裏面側を説明するための図である。
【００１２】
図１（Ａ）に示すように、トレーディングカード１１の正面側には、アイドル等の写真が印刷される写真領域２１と、アイドル名等が印刷される名前領域２３が形成されている。
また、図１（Ｂ）に示すように、トレーディングカード１１の裏面側には、アイドル名等が印刷される名前領域３１と、コード番号が印刷されるコード領域３３とが形成されている。
コード領域３３に形成されるコード番号は、例えば、インターネット上のＵＲＬ等である。
【００１３】
トレーディングカード１１における写真領域２１、名前領域２３、名前領域３１、コード領域３３の位置は任意である。
トレーディングカード１１は、ユーザにとって魅力があるデザインをしており、ユーザに集める動機付けを与えるものである。
ユーザは、自分の好みの芸能人のトレーディングカード１１を購入して集める。
【００１４】
図２は、本実施形態で用いられる端末装置５１と、サーバ５３とを説明するための図である。
図３は、本発明の第１実施形態の処理の流れを説明するための図である。
ユーザは、トレーディングカード１１を購入する。
そして、ユーザは、端末装置５１の操作部を操作して、トレーディングカード１１のコード領域３３に印刷されたコード番号を端末装置５１に入力する（ステップＳＴ１）。
端末装置５１は、上記入力された番号コードを基に、サーバ５３にアクセスを行う（ステップＳＴ２）。
【００１５】
サーバ５３は、端末装置５１からアクセスに応じて、上記アイドルに関連するコンテンツデータを端末装置５１にダウンロードさせる（ステップＳＴ３）。
当該コンテンツデータは、例えば、アイドル等の楽曲（音楽）・映像・文字のデータである。
端末装置５１は、サーバ５３からダウンロードしたコンテンツデータをメモリに記憶し、ユーザからの指示に応じて再生する（ステップＳＴ４）。
【００１６】
以上説明したように、トレーディングカード１１によれば、トレーディングカード１１にコレクト対象となる紙やプラスチック等のカードとしての機能と、そのコード領域３３に記載されたコード番号を基にユーザがサーバ１５からコンテンツデータを取得できる機能とを持たせることができ、これまでにない新たな価値をユーザに提供できる。
【００１７】
［第２実施形態］
本実施形態では、コード領域３３として、ＱＲやＡＲ等の自動読み取り可能なコードが用いられる。
図４は、本発明の第２実施形態の処理の流れを説明するための図である。
ユーザは、トレーディングカード１１を購入する。
なお、ユーザは、端末装置５１の操作部を操作してサーバ５３にアクセスして事前にアプリケーションプログラムをダウンロードし、サーバ５３にユーザ登録を行う。
【００１８】
ユーザは、端末装置５１の操作部を操作してアプリケーションプログラムを起動する（ステップＳＴ１１）。
ユーザは、端末装置５１の読み取り機能を使って、コード領域３３に印刷されたコード番号を読み取る（ステップＳＴ１２）。当該読み取り機能は、ＱＲ，ＡＲ等の画像認識機能である。
端末装置５１は、ステップＳＴ１２で読み取ったコード番号を基に、サーバ５３にアクセスを行う（ステップＳＴ１３）。
【００１９】
端末装置５１の上記アプリケーションプログラムの機能を使って、サーバ５３でユーザ認証を行う。
サーバ５３は、上記ユーザ認証で正当性を確認すると、端末装置５１からアクセスに応じて、上記アイドルに関連するコンテンツデータを端末装置５１にダウンロードさせる（ステップＳＴ１５）。
端末装置５１は、サーバ５３からダウンロードしたコンテンツデータをメモリに記憶し、ユーザからの指示に応じて再生する（ステップＳＴ１６）。
【００２０】
本実施形態によれば、端末装置５１が専用のアプリケーションプログラムを起動して、サーバ５３と認証を行うことで、ある一定の要件を満たしたユーザに対してのみコンテンツデータを提供することができる。これにより、サーバ５３が提供するコンテンツデータへの不正アクセスを抑制できる。
また、本実施形態によれば、端末装置５１の読み取り機能を使ってトレーディングカード１１からコード番号を読み取るので、ユーザはコード番号を入力する必要がなく、負担を少なくできる。
【００２１】
また、ＡＲ等の画像認識機能を使うことで、ＵＲＬをトレーディングカード１１に印刷する必要がなく、デザイン性を向上できる。また、トレーディングカード１１に印刷された画像の複数の部分にＵＲＬ等のリンクを入れることも可能になる。
また、上述したように、専用のアプリケーションプログラムを用いることで、直接コンテンツにつながりやすく視聴できる。コンテンツショップサイトの作成等のコストを削減できる。
【００２２】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
上述した実施形態では、コンテンツ提供媒体としてカードを例示したが、カード型以外の形の物理的な媒体であってもよい。
【産業上の利用可能性】
【００２３】
本発明は、カード等のコンテンツ提供媒体、並びにそれを用いたコンテンツ取得方法に適用可能である。
【符号の説明】
【００２４】
１１…トレーディングカード
２１…写真領域
２３…名前領域２３
３１…名前領域
３３…コード領域
５１…端末装置
５３…サーバ
【図１】
2014174904.tif 000003
【図２】
2014174904.tif 000004
【図３】
2014174904.tif 000005
【図４】
2014174904.tif 000006